(57)【特許請求の範囲】
【請求項１】
太股が挿通可能な環状のループ部（１）を有し、該ループ部（１）はフローティングベスト本体（２）に取り付けられた紐体（３）を介してフローティングベスト本体（２）と連結可能とされているフローティングベスト脱離防止具を備え、
そのループ部（１）は、フローティングベスト本体（２）に取り付けられた紐体（３）の取付可能な紐体取付部（４）を有し、該ループ部（１）は、該ループ部（１）の周方向に回動自在な状態でヒップガード本体（５）に取り付けられていることを特徴とするヒップガード。
【請求項２】
前記ループ部（１）は、内径が調整可能とされている請求項１記載のヒップガード。
【発明の詳細な説明】
【０００１】
【発明の属する技術分野】
本発明は、着用したフローティングベストが身体から脱離することを防止するフローティングベスト脱離防止具を有するヒップガードに関するものである。
【０００２】
【従来の技術】
従来、この種の脱離防止具としては、フローティングベストの前身頃と後ろ身頃間に掛け渡される紐体であって、股間を通すように股に引っ掛けて使用される股紐が知られている。
この股紐によれば、万一海等に転落しても、前記前身頃２ａと後ろ身頃２ｂに掛け渡された紐体が股に引っ掛かるため、身体からフローティングベストの脱離することが防止される。
【０００３】
【発明が解決しようとする課題】
しかしながら、上記従来の股紐では、着用時に紐体が股に直接引っ掛かることから、着用感に優れず、又、小用時等に邪魔になる場合があった。
【０００４】
そこで、本発明は、上記従来の問題点に鑑みなされたもので、着用感が良好で、小用時等に邪魔になる虞の少ないフローティングベスト脱離防止具を有するヒップガードを提供することを課題とするものである。
【０００５】
【課題を解決するための手段】
上記課題を解決すべく、本発明にかかるヒップガードは、太股が挿通可能な環状のループ部１を有し、該ループ部１はフローティングベスト本体２に取り付けられた紐体３を介してフローティングベスト本体２と連結可能とされているフローティングベスト脱離防止具を備え、そのループ部１は、フローティングベスト本体２に取り付けられた紐体３の取付可能な紐体取付部４を有し、該ループ部１は、該ループ部１の周方向に回動自在な状態でヒップガード本体５に取り付けられていることを特徴とする。
上記構成からなるフローティングベスト脱離防止具は、ループ部１を太股に挿通させ、紐体３を介してフローティングベスト本体２と連結することにより、身体からフローティングベストの脱離することが防止されると共に、紐体３は、ループ部１に引っ掛けられることになり、股に直接引っ掛かることが防止される。
【０００６】
また、フローティングベスト脱離防止具は、前記ループ部１が、内径が調整可能とされてなるものが好ましい。
かかる構成を採用することにより、着用者の太股の太さに応じて、適宜内径を調整することができる。また、一般に、太股は上部ほど（股に近づくほど）太くなる（拡径する）ものであるが、ループ部１の内径を調整することにより、ループ部の取りうる最上位置を所望位置に調節することができる。
従って、例えば、必要以上にループ部１が股に近づくことを防止でき、紐体３が股に当たる虞も減少させることができる。
【０００７】
上記構成からなるヒップガードは、ループ部１を回動させて、紐体取付部４を太股の側面側、前面側又は背面側に位置させ、股間を通さずに紐体３を紐体取付部４に取り付けることにより、紐体３を股間に通すことなく、ループ部１とフローティングベスト本体２とを紐体３を介して連結することができる。
【０００８】
【発明の実施の形態】
以下、本発明の実施の形態としてのヒップガード及びフローティングベスト脱離防止具について、図面を参照しつつ説明する。
図１は、本実施形態のヒップガード及びフローティングベスト脱離防止具の背面（ヒップと当接する側の面と反対の面）側を示す背面図、図２は、ヒップガード及びフローティングベスト脱離防止具の正面（ヒップと当接する側の面）側を示す正面図、図３は、ヒップガード及びフローティングベスト脱離防止具を着用した状態を示す側面図である。
【０００９】
本実施形態のヒップガードは、主に尻に当接させて尻を保護するためのヒップガード本体５と、該ヒップガード本体５の上部両側縁から延出された腰巻き片１１と、該ヒップガード本体５の下部に取り付けられたフローティングベスト脱離防止具とから主構成されてなる。
【００１０】
前記ヒップガード本体５は、ウレタン等の防水性、クッション性を備えた布地が適宜縫製、溶着されて構成されてなる。又、前記ヒップガード本体５の下部は、二股に分かれて、着用者の太股の一部を覆う二つの太股片１３がそれぞれ形成されてなる。
尚、この太股片１３は、伸縮自在な布片で構成されてなる。
【００１１】
前記腰巻き片１１は、一方の先端側に、他方の腰巻き片１１と係合可能な面ファスナー１５が縫着されてなり、着用者の腰周りを周回し、それぞれを互いに係合させることにより、両者が連結できる構成とされてなる。
また、両者を連結することにより、着用者の腰に巻き付けることができ、ヒップガードを着用することができる。
【００１２】
前記フローティングベスト脱離防止具は、前記ヒップガード本体５の太股片１３の双方にそれぞれ設けられてなる。
具体的には、前記太股片１３に短冊状の布片１７の両端側がそれぞれ縫着されることにより、太股片１３と該布片１７との間にフローティングベスト脱離防止具を挿通可能な輪奈１８が形成され、しかも、該輪奈１８が３つ連続して設けられ、この３つの輪奈１８にフローティングベスト脱離防止具をそれぞれ挿通させることにより、前記太股片１３に、環状に形成されたフローティングベスト脱離防止具が取り付けられている。
尚、フローティングベスト脱離防止具は、この輪奈１８に挿通させることのみによりヒップガード本体５に取り付けられてなり、フローティングベスト脱離防止具（後述するループ部１）は、フローティングベスト脱離防止具（後述するループ部１）の周方向に回動可能に構成されてなる。
【００１３】
前記フローティングベスト脱離防止具は、着用者の太股に挿通可能とすべくベルト体１９が環状に形成されたループ部１を有し、該ループ部１には、フローティングベスト本体２に取り付けられた紐体３を取り付け可能な紐体取付部４が設けられてなる。
この紐体取付部４は、ベルト体１９の一部と一部を縫着することにより形成され且つ前記紐体３を挿通可能な輪奈４で、フローティングベスト本体２の前身頃２ａと後ろ身頃２ｂに掛け渡された紐体３を挿通させることができる。
そして、この紐体取付部４に、前記紐体３を挿通させることにより、該紐体３を介してフローティングベスト本体２と連結可能とされてなる。
尚、前記紐体３は、通常フローティングベストの前身頃２ａや後ろ身頃２ｂの内周面に縫着されたり、又は紐体３取付手段を介してフローティングベストに着脱自在に取り付けられる。
【００１４】
前記ループ部１は、一本のベルト体１９の両端縁に、長さ調整手段２２を備えた嵌合式のバックル２１が設けられ、該バックル２１の嵌合によりベルト体１９が環状に形成されて構成されてなり、長さ調整手段２２によって、内径を拡径、縮径自在、即ち、内径が調整可能とされてなる。
【００１５】
上記構成からなるフローティングベストを着用する場合、先ず各ループ部１をそれぞれ太股に挿通させる。
次に、ヒップガード本体５を主に尻に当接させ、該ヒップガード本体５が尻に当接した状態で、両腰巻き片１１を腰に周回させて互いに係合させ、着用する。
【００１６】
上記構成からなるヒップガードは、上記の如く構成されてなるので、以下の利点を有するものである。
即ち、本実施形態のヒップガードは、太股片１３が伸縮自在の布片から構成されてなるので、例えば、太股片１３が緊張した状態で着用した場合であっても、太股片１３は太股の動きに追従して伸縮するため、太股を動かした際の突っ張り感の抑制された、着用感の良好なヒップガードとなるのである。
【００１７】
また、前記ループ部１は、バックル２１の嵌合を解除することにより、一本のベルト体１９として、太股片１３に形成された輪奈から脱抜して取り外すことができるものである。従って、フローティングベスト及びフローティングベスト脱離防止具を使用しない場合には、通常のヒップガードとして使用することができ、しかも、ループ部１が邪魔になる虞も無いのである。
【００１８】
尚、本実施形態のヒップガード及びフローティングベスト脱離防止具は、上記構成により、上述の如き利点を有するものであったが、本発明においては、上記構成に限定されず、適宜設計変更可能である。
【００１９】
例えば、上記実施形態のヒップガードは、ループ部１を該ループ部１の周方向に回動可能に構成されてなったが、ループ部１が固定されてなるもの、即ち、ループ部１が回動不能にヒップガード本体５に取り付けられてなるものもある。かかる場合には、紐体取付部４が着用者の太股の側面側に位置するようにヒップガード本体５に取り付けられてなるものが好ましい。かかる構成を採用することにより、フローティングベスト本体２に取り付けられた紐体３を常に着用者の太股の側面側に維持することができるので、該紐体３が着用者の股に当たる虞もより一層防止されることになる。
【００２０】
また、上記のフローティングベスト脱離防止具は、ループ部１に紐体取付部４を有して構成されたが、紐体取付部４を有さず、単にループ部１に紐体３を挿通させ、該紐体３を介してループ部１とフローティングベスト本体２とを連結する場合もある。
【００２１】
さらに、上記実施形態においては、ループ部１の内径を調整すべく、ベルト体１９に長さ調整手段２２を設けたが、例えば、ループ部１を構成するベルト体１９をゴム等の伸縮性に優れたものとし、長さ調整手段２２を設けない場合であっても本発明の意図する範囲内である。
上記構成からなるフローティングベスト脱離防止具は、構成が単純であると共に、着用者の太股の太さに応じ、ループ部１の内径を伸縮させて着用することができる。
【００２２】
【発明の効果】
以上のように、フローティングベスト脱離防止具は、身体からフローティングベストの脱離することが防止されると共に、紐体が股に直接引っ掛かることも防止されるため、着用感が良好で、小用時等に邪魔になる虞も減少するという利点を有する。
【００２３】
また、本発明にかかるヒップガードは、紐体を股間に通すことなく、ループ部とフローティングベスト本体とを紐体を介して連結できるので、着用時に股に直接紐体が引っ掛かる虞も無く、着用感が良好で、小用時に邪魔になる虞も減少するという利点を有する。
【図面の簡単な説明】
【図１】一実施形態のヒップガード及びフローティングベスト脱離防止具を示す背面図。
【図２】同実施形態のヒップガード及びフローティングベスト脱離防止具を示す正面図。
【図３】同実施形態のヒップガード及びフローティングベスト脱離防止具を着用した状態を示す側面図。
【符号の説明】
１・・・ループ部、２・・・フローティングベストの本体部、３・・・紐体、４・・・輪奈（紐体取付部）、５・・・ヒップガード本体
【図１】
0004262839.tif 000002
【図２】
0004262839.tif 000003
【図３】
0004262839.tif 000004